(57)【要約】      （修正有）【課題】高輝度の発光ダイオードを照明光源提供とし、且つ、入手しやすい乾電池と公知の充電式緊急照明の異なる作動方式により、一般の交流電源が正常に供給できない時、或いは、プラグがコンセントから抜かれている時、乾電池の電力を使用すると共に、電力不足時に、ランプをちらつかせて、警告作用を発する緊急照明を提供する。【解決手段】緊急照明主体１０は、乾電池を装着し、電池蓋を蓋して、プラグ１３により交流電源供給コンセント４０に連接し、交流電源が正常に供給され、且つ、緊急照明主体１０が交流電源供給コンセント４０に連接する時、電源検出ユニットにより検出して、回路を閉鎖し、交流電源が供給を中断するか、或いは、緊急照明主体１０が交流電源供給コンセント４０を離れる時、電源検出ユニットにより検出し、電源制御ユニットを駆動して、乾電池の電源を転換使用し、キャパシタ量検出ユニットによりキャパシタ量の正常を検出して、高輝度発光ダイオード２０が正常な照明信号を継続して発し、停電、或いは、交流電源が正常に供給されない時の照明功能を達成する。上述の乾電池の電源は、キャパシタ量検出装置によりキャパシタ量が低すぎることが検出されたら、フリッカー制御ユニットを駆動して、高輝度発光ダイオード２０にフリッカー照明信号を発信させ、警告し、使用者にキャパシタ量が十分な乾電池に交換するように注意を促す。【選択図】図３
0003144739.tif 000002
【実用新案登録請求の範囲】
【請求項１】
緊急照明の改良構造であって、主要構造は、
緊急照明主体に設置され、照明光源を提供する少なくとも一つ以上の高輝度発光ダイオードと、
前記緊急照明主体に設置され、前記緊急照明主体、及び、交流電源供給コンセントに連接するプラグと、
前記緊急照明主体に設置され、交流電源供給状態を検出する電源検出ユニットと、
前記緊急照明主体に設置され、乾電池電源の起用を制御する電源制御ユニットと、
前記緊急照明主体に設置され、前記乾電池のキャパシタ量を検出するキャパシタ量検出ユニットと、
前記緊急照明主体に設置され、高輝度発光ダイオードを制御して、フリッカー方式で光源を発するフリッカー制御ユニットと、
からなり、その特徴は、前記乾電池を前記緊急照明主体に設置し、前記プラグにより前記交流電源供給コンセントに連接し、交流電源が電源供給を中断する時、前記電源検出ユニットにより、前記電源制御ユニットを駆動して、前記乾電池の電源を起用し、前記乾電池は、前記キャパシタ量検出ユニットにより検出され、前記キャパシタ量が正常な時、前記高輝度発光ダイオードにより照明光源を発し、前記キャパシタ量が低すぎると、前記フリッカー制御ユニットを駆動して、前記高輝度発光ダイオードが、フリッカー照明光源を発することを特徴とする緊急照明の改良構造。
【請求項２】
前記乾電池の規格は、前記緊急照明主体の規格大きさに適合することを特徴とする請求項1に記載の緊急照明の改良構造。
【考案の詳細な説明】
【技術分野】
【０００１】
本考案は、緊急照明の改良構造に関するものであって、特に、体積が縮小し、電源の供給方式を改良し、高輝度の発光ダイオードを照明光源提供とし、且つ、入手しやすい乾電池と公知の充電式緊急照明の異なる作動方式により、一般の交流電源が正常に供給できない時、或いは、プラグがコンセントから抜かれている時、乾電池の電力を使用すると共に、電力不足時に、ランプをちらつかせて、警告作用を発する緊急照明の改良構造に関するものである。
【背景技術】
【０００２】
一般の緊急照明設備は、各種避難場所の廊下、階段、通路等に設置され、正常な交流電力が中断される時、緊急照明設備が無電源供給状態を検出すると、蓄電池に転換して、照明効果を提供する。その目的は、居住空間、仕事場所、避難通路に最低限の照明を提供して、安全を維持し、避難が迅速に行われるようにすることである。
【０００３】
現代の科学技術の発展に伴い、発光ダイオード技術が成熟し、日常生活に応用されていて、高輝度の発光ダイオードは、日常生活の照明中において、公知の光源を代替する可能性がある。光源表示効果と公知のランプを比較すると、公知のランプは、光通量が高いが、多種の波長、及び、光拡散により、異なる種類の光が混合しやすく、効果的ではない。発光ダイオードは、単一の波長なので、単一方向であり、且つ、光源集中効果が顕著である。効率から言うと、発光ダイオードは体積が小さく、反応が早く、寿命が長く、減衰しにくく、低電圧、低電流、及び、転換損失が低い等の長所があり、且つ、中華民国（台湾）の経済部は、LED技術と功能は、“一般照明”光に応用し、家庭の照明を代替すると、一年で、一核エネルギー工場の発電量を節約することができると評価している。また、中華民国（台湾）は、半導体産業の優勢が期待され、チップとパッケージ技術において、エネルギー節約を達成し、エコの趨勢に対応している。
【０００４】
緊急照明設備は、警告作用、或いは、照明作用でも、緊急危難発生時に、正常に起動しないと困るので、各ビルの緊急照明設備は、一、二年ごとに定期検査をして交換し、災害時の充電池の故障を防止するが、定期検査で交換するのは面倒で、家庭用の緊急照明設備において、定期検査や交換をするのは無理である。
【０００５】
災害発生時の実用性分析において、一般の緊急照明設備は、高輝度のランプ、及び、膨大な充電池を使用する必要があり、構成素子が多く、体積が大きくなりすぎ、且つ、壁に固定する必要があるので、災害発生時に、この緊急照明設備を携帯することができず、災害発生時、一部の空間に照明設備を提供するだけで、第一時間の避難が困難である。高輝度の発光ダイオードを緊急照明設備上に応用して、体積が大きい問題を解決しているものもあるが、使用寿命が短く、充電池の故障を知らせることができない。更に、市場の競争が激しく、コストを減少させるために、相対して品質も低下し、電池寿命が短い主要原因の一つとなっている。災害発生時に、充電池が故障したことを発見しても、第一時間で避難することができない。エネルギーを節約するために、公知の緊急照明設備は、不断に充電を実行するが、年月を経ると、エネルギーの浪費ばかりか、充電池の寿命を短縮し、製造、及び、設備メンテナンスコストを増加する。更に、交換費用も充電池の一般価格である３００台湾元より高く、災害発生予防の支出は節約できないとはいえども、緊急照明の電源提供方式を変更することはでき、更に、充電池は、一般の使用時間が４〜８時間であり、入手しやすい乾電池を使用すれば、電池を交換するだけでよく、長時間停電する時、絶対的な優位性があり、且つ、乾電池の保持時間は、充電池より長い。これにより、公知の緊急照明設備の体積が大きい点、そして、現有の緊急照明設備の電源供給方式は、使用者の需要を満たすことができないので、改善する必要がある。
【考案の開示】
【考案が解決しようとする課題】
【０００６】
本考案の目的は、緊急照明の改良構造を提供し、上述の問題を解決することにある。
【課題を解決するための手段】
【０００７】
本考案の緊急照明の改良構造は、高輝度の発光ダイオードを照明光源として提供し、入手しやすい乾電池を緊急照明の使用電力とし、プラグをコンセントに差し込んで、交流電源が電源供給を停止するとき、電源検出ユニットにより検出し、乾電池の電力を起用し、乾電池の電力を尽きたら、キャパシタ量検出ユニットにより検出し、フリッカー制御ユニットにより照明光源をちらつかせ、電源不足を警告する。
【考案の効果】
【０００８】
本考案により、公知技術を改善し、体積を縮小して、緊急照明に必要な輝度を提供し、定期検査をして、充電電池を交換する必要がない長所が得られる。
【考案を実施するための最良の形態】
【０００９】
本考案の緊急照明の改良構造は、図１〜図４で示されるように、主要構造は、緊急照明主体１０、電池蓋１２、プラグ１３、高輝度発光ダイオード２０、電源検出ユニット５０、電源制御ユニット６０、キャパシタ量検出ユニット７０、及び、フリッカー制御ユニット８０から構成される。
【００１０】
図１〜図４と図９で示されるように、緊急照明主体１０は、乾電池３０を装着し、電池蓋１２を蓋して、プラグ１３により交流電源供給コンセント４０に連接し、交流電源が正常に供給され、且つ、緊急照明主体１０が交流電源供給コンセント４０に連接する時、電源検出ユニット５０により検出して、回路を閉鎖し、交流電源が供給を中断するか、或いは、緊急照明主体１０が交流電源供給コンセント４０を離れる時、電源検出ユニット５０により検出し、電源制御ユニット６０を駆動して、乾電池の電源を転換使用し、キャパシタ量検出ユニット７０によりキャパシタ量の正常を検出して、高輝度発光ダイオード２０が正常な照明信号を継続して発し、停電、或いは、交流電源が正常に供給されない時の照明功能を達成する。上述の乾電池の電源は、キャパシタ量検出装置７０によりキャパシタ量が低すぎることが検出されたら、フリッカー制御ユニット８０を駆動して、高輝度発光ダイオード２０にフリッカー照明信号を発信させ、警告し、使用者にキャパシタ量が十分な乾電池に交換するように注意を促す。
【００１１】
図５〜図９で示されるように、本考案は、場所と照明空間の大小により、規格が異なる乾電池３５を使用して、相同の回路構造、及び、作動方式に、異なる規格の緊急照明設備と組み合わせて使用できる。
【００１２】
公知の緊急照明設備は、災害の発生、或いは、交流電源の正常な供給ができない時、緊急照明設備が正常使用でき、十分な照明電力を提供するために、通常は、定期的に検査とメンテナンスが必要である。長期間に渡る使用で、温度が高くなりすぎると、損壊する確率が高くなり、エネルギー使用と設備メンテナンスコストが高くなる。定期検査前に、災害が発生し、且つ、緊急照明設備が故障すれば、緊急照明として使用できないので、本考案は、乾電池３０により充電池を代替し、災害の発生、或いは、交流電源が正常に供給されない時に、乾電池３０の電力を使用する。よって、電池、及び、緊急照明設備は温度が高すぎる問題が生じず、緊急照明設備、及び、電源使用寿命を増加し、乾電池３０のキャパシタ量不足時に、キャパシタ量検出ユニット７０と、フリッカー制御ユニット８０により、高輝度発光ダイオード２０にフリッカー信号を生成させて、警告の功能を達成し、緊急照明設備の故障を心配することがない。
【図面の簡単な説明】
【００１３】
【図１】本考案の構造の立体図である。
【図２】本考案の構造の実施参考図である。
【図３】本考案の構造の実施参考図である。
【図４】本考案の構造の実施参考図である。
【図５】本考案の構造の実施参考図である。
【図６】本考案の構造の実施参考図である。
【図７】本考案の構造の実施参考図である。
【図８】本考案の構造の実施参考図である。
【図９】本考案の構造の回路構造図である。
【符号の説明】
【００１４】
１０  緊急照明主体
１２  電池蓋
１３  プラグ
２０  高輝度発光ダイオード
３０  乾電池
４０  交流電源供給コンセント
５０  電源検出ユニット
６０  電源制御ユニット
７０  キャパシタ量検出ユニット
８０  フリッカー制御ユニット
【図１】
0003144739.tif 000003
【図２】
0003144739.tif 000004
【図３】
0003144739.tif 000005
【図４】
0003144739.tif 000006
【図５】
0003144739.tif 000007
【図６】
0003144739.tif 000008
【図７】
0003144739.tif 000009
【図８】
0003144739.tif 000010
【図９】
0003144739.tif 000011